(57)【要約】【課題】  水門から離れた場所で、水門に配設されたゲートの上下移動を操作可能にする遠隔操作型水門用開閉装置を提供する。【解決手段】  遠隔操作型水門用開閉装置は、水門から離れた場所に配設されると共に水門を開閉するゲート６を上下移動させる駆動装置２と、この駆動装置２から動力を伝達する伝達部材３と、この伝達部材３を介して駆動装置２から動力を受ける被駆動装置５と、伝達部材３を自在に案内する案内部材４と、被駆動装置５に連結されるゲート６とか構成されている。駆動装置２の駆動スプロケットからの動力を、伝達部材３を経由して被駆動装置５の被駆動スプロケットに伝達して、この被駆動スプロケット及び回転軸が回転することにより、トルクアーム部が回転して、トルクアーム部に連結されたゲート６を、その下端部が略曲線軌跡を画くように上下に移動させることができる。【選択図】        図１
0003101575.tif 000002
【実用新案登録請求の範囲】
【請求項１】
水門から離れた場所に配設されると共に水門を開閉するゲートを上下移動させる駆動装置と、この駆動装置から動力を伝達する伝達部材と、この伝達部材を介して前記駆動装置から動力を受ける被駆動装置と、前記駆動装置と前記被駆動装置との間に配設され前記伝達部材を自在に案内する案内部材と、前記被駆動装置と連結される前記ゲートとから構成されることを特徴とする遠隔操作型水門用開閉装置。
【請求項２】
前記被駆動装置は、前記伝達部材と係合して回転する被駆動スプロケットと、この被駆動スプロケットと固定される回転軸とを有し、この回転軸にトルクアーム部を介して前記ゲートが連結されており、前記被駆動スプロケット及び前記回転軸が回転すると、前記ゲートが、その下端部が略曲線軌跡を画くように上下方向に移動することを特徴とする請求項１に記載の遠隔操作型水門用開閉装置。
【請求項３】
前記被駆動装置は、一端が前記伝達部材と接続され変位するアーム部と、このアーム部の他端に固定され回転する回転軸とを有し、この回転軸にトルクアーム部を介してゲートが連結されており、前記アーム部の一端が変位して前記回転軸が回転すると、前記ゲートが、その下端部が略曲線軌跡を画くように上下方向に移動することを特徴とする請求項１記載の遠隔操作型水門用開閉装置。
【請求項４】
前記被駆動装置は、前記伝達部材と係合して回転する被駆動スプロケットと、この被駆動スプロケットに連設するピニオン部と、このピニオン部に係合するラック部を設けたシャフトとを有し、このシャフトに前記ゲートが連結されており、前記被駆動スプロケット及び前記ピニオン部が回転すると、前記シャフトが上下に移動して、前記ゲートが、略直線状に上下方向に移動することを特徴とする請求項１に記載の遠隔操作型水門用開閉装置。
【請求項５】
水門から離れた場所に配設されると共に水門を開閉するゲートを上下移動させる駆動装置と、この駆動装置から動力を伝達する伝達部材と、前記伝達部材を自在に案内する案内部材と、前記伝達部材と接続して水門を開閉するゲートとを設け、前記伝達部材を前記駆動装置に係合すると共に、前記伝達部材の一端を前記ゲート上部、又はゲート上部に連設したアーム部の上部に接続し、他端を前記アーム部の近傍に位置する前記案内部材を経由して、前記ゲート上部、又はゲート上部に連設するアーム部の上部に接続しており、前記伝達部材の一端を上下に移動させると、前記ゲートが、略直線状に上下方向に移動することを特徴とする遠隔操作型水門用開閉装置。
【請求項６】
前記伝達部材は、チェーンまたはロープであることを特徴とする請求項１〜５のいずれかに記載の遠隔操作型水門用開閉装置。
【考案の詳細な説明】
【技術分野】
【０００１】
本考案は、遠隔操作型水門用開閉装置、特に、水門に配設されるゲートを上下方向に移動させる操作を、水門から離れた場所で操作する遠隔操作型水門用開閉装置に関するものである。
【背景技術】
【０００２】
従来、河川に通じる水路には水門が設置され、この水門には、水路の流れを遮断、もしくは開放するためのゲートが配設されている。
そこで、水門に配設されるゲートを上下方向に移動させる操作は、ゲートの上部に操作室を設け、この操作室内に配設される駆動装置を操作して、ゲートの上下移動を行っていた。例えば、特許文献１に記載された水門用開閉装置には、水門上部に操作室を設け、この操作室内に駆動装置を配置して、この駆動装置を操作することにより、水門に配設されたゲートを上下に移動させることが開示されている。
【０００３】
【特許文献１】特開平８−８５９３４号公報
【考案の開示】
【考案が解決しようとする課題】
【０００４】
上述したように、水門を開閉するゲートを操作する操作室が、このゲートの上部に配設されている場合が多いが、ゲートを操作するごとにゲートの設置場所まで行く必要があり、相当の労力と時間を要することになる。また、ゲートの上部に操作室を設けると、ゲート周辺の自然環境の美観を損なう欠点もあった。
【０００５】
本考案は、かかる点に鑑みてなされたものであり、水門から離れた場所で、水門に配設されたゲートの上下移動を操作可能にする遠隔操作型水門用開閉装置を提供することを目的とする。
【課題を解決するための手段】
【０００６】
本考案は、上記課題を解決するための手段として、請求項１に記載した考案は、水門から離れた場所に配設されると共に水門を開閉するゲートを上下移動させる駆動装置と、この駆動装置から動力を伝達する伝達部材と、この伝達部材を介して前記駆動装置から動力を受ける被駆動装置と、前記駆動装置と前記被駆動装置との間に配設され前記伝達部材を自在に案内する案内部材と、前記被駆動装置と連結される前記ゲートとから構成されることを特徴とするものである。
このように構成することにより、水門から離れた場所に配設された駆動装置からゲートを上下に移動させる動力を、伝達部材を介して被駆動装置に伝達することができ、被駆動装置に連結されたゲートを上下方向に移動できる。
【０００７】
請求項２に記載した考案は、請求項１に記載した考案において、前記被駆動装置は、前記伝達部材と係合して回転する被駆動スプロケットと、この被駆動スプロケットと固定される回転軸とを有し、この回転軸にトルクアーム部を介して前記ゲートが連結されており、前記被駆動スプロケット及び前記回転軸が回転すると、前記ゲートが、その下端部が略曲線軌跡を画くように上下方向に移動することを特徴とするものである。
このように構成することにより、被駆動装置の被駆動スプロケットが駆動装置からの動力を受けると、被駆動スプロケットを固定した回転軸が回転すると共に、この回転軸に固定したトルクアーム部が同様に回転する。すると、このトルクアーム部にヒンジ部を介して連結されたゲートが、その下端部が略曲線軌跡を画くように上下方向に移動する。
【０００８】
請求項３に記載した考案は、請求項１に記載した考案において、前記被駆動装置は、一端が前記伝達部材と接続され変位するアーム部と、このアーム部の他端に固定され回転する回転軸とを有し、この回転軸にトルクアーム部を介してゲートが連結されており、前記アーム部の一端が変位して前記回転軸が回転すると、前記ゲートが、その下端部が略曲線軌跡を画くように上下方向に移動することを特徴とするものである。
このように構成することにより、被駆動装置のサブアームの一端が駆動装置からの動力を受けると、サブアームの一端が変位してサブアームの他端と固定した回転軸が回転すると共に、この回転軸に固定したトルクアーム部が同様に回転する。すると、このトルクアーム部に固定されたゲートが、その下端部が、略曲線軌跡を画くように上下方向に移動する。
【０００９】
請求項４に記載した考案は、請求項１に記載した考案において、前記被駆動装置は、前記伝達部材と係合して回転する被駆動スプロケットと、この被駆動スプロケットに連設するピニオン部と、このピニオン部に係合するラック部を設けたシャフトとを有し、このシャフトに前記ゲートが連結されており、前記被駆動スプロケット及び前記ピニオン部が回転すると、前記シャフトが上下に移動して、前記ゲートが、略直線状に上下方向に移動することを特徴とするものである。
このように構成することにより、被駆動装置の被駆動スプロケットが駆動装置からの動力を受けると、被駆動スプロケットに連設したピニオン部が回転すると共に、シャフトが上下に移動して、このシャフトと連結されたゲートが略直線状に上下方向に移動する。
【００１０】
請求項５に記載した考案は、水門から離れた場所に配設されると共に水門を開閉するゲートを上下移動させる駆動装置と、この駆動装置から動力を伝達する伝達部材と、前記伝達部材を自在に案内する案内部材と、前記伝達部材と接続して水門を開閉するゲートとを設け、前記伝達部材を前記駆動装置に係合すると共に、前記伝達部材の一端を前記ゲート上部、又はゲート上部に連設したアーム部の上部に接続し、他端を前記アーム部の近傍に位置する前記案内部材を経由して、前記ゲート上部、又はゲート上部に連設するアーム部の上部に接続しており、前記伝達部材の一端を上下に移動させると、前記ゲートが、略直線状に上下方向に移動することを特徴とするものである。
このように構成することにより、水門から離れた場所に配設された駆動装置からゲートを上下移動させる動力が伝達部材を介してゲートに伝達され、ゲートを、直線状に上下方向に移動させることができる。
【００１１】
請求項６に記載した考案は、請求項１〜５のいずれかに記載した考案において、前記伝達部材は、チェーンまたはロープであることを特徴とするものである。
このように構成することにより、案内部材を介して自在に伝達経路を形成することができる。
【考案の効果】
【００１２】
請求項１に記載した考案によれば、水門から離れた場所に配設された駆動装置と、水門に配設されるゲートに連結された被駆動装置とを、案内部材を介して伝達部材で連結して、駆動装置からゲートを上下に移動させる動力を伝達部材を介して被駆動装置に伝達して、ゲートを上下に移動できるので、水門の開閉を水門から離れた場所で容易に操作することができ、効率的である。
【００１３】
請求項２に記載した考案によれば、被駆動装置を、伝達部材に係合して回転する被駆動スプロケットと、この被駆動スプロケットと固定される回転軸とから構成して、被駆動スプロケット及び回転軸が回転すると、この回転軸に固定されるトルクアーム部が回転し、ゲートが、その下端部が略曲線軌跡を画くように上下に移動するので、駆動装置から被駆動装置に伝達される動力を、効率良くゲートの上下移動に置換でき、容易に水門を開閉することができる。
【００１４】
請求項３に記載した考案によれば、被駆動装置を、一端が前記伝達部材と接続され変位するアーム部と、このアーム部の他端に固定され回転する回転軸とから構成して、アーム部の一端が変位すると、この回転軸に固定されるトルクアーム部が回転し、ゲートが、その下端部が略曲線軌跡を画くように上下に移動するので、駆動装置から被駆動装置に伝達される動力を、効率良くゲートの上下移動に置換でき、容易に水門を開閉することができる。
【００１５】
請求項４に記載した考案によれば、被駆動装置を、前記伝達部材と係合して回転する被駆動スプロケットと、この被駆動スプロケットに連設するピニオン部と、このピニオン部に係合するラック部を設けたシャフトとから構成して、被駆動スプロケット及びピニオン部が回転すると、シャフトが上下に移動して、ゲートが、略直線状に上下に移動するので、駆動装置から被駆動装置に伝達される動力を、効率良くゲートの上下移動に置換でき、容易に水門を開閉することができる。
【００１６】
請求項５に記載した考案によれば、水門から離れた場所に配設された駆動装置と、この駆動装置とゲートとを案内部材を介して伝達部材で連結して、駆動装置からゲートを上下に移動させる動力を伝達部材を介して直接ゲートに伝達して、ゲートが、略直線状に上下に移動できるので、水門の開閉を水門から離れた場所で容易に操作することができ、効率的である。
【００１７】
請求項６に記載した考案によれば、伝達部材を、チェーンまたはロープで形成しているので、駆動装置から動力を確実に被駆動装置またはゲートに伝達できると共に、駆動装置と被駆動装置またはゲートとの間の伝達経路を自在に形成することができる。
【考案を実施するための最良の形態】
【００１８】
以下、本考案の実施の形態に係る遠隔操作型水門用開閉装置を図１〜図８に基いて詳細に説明する。図１は、本考案の実施の形態に係る遠隔操作型水門用開閉装置の構成品の配置を示す図であり、符号５０は操作室、符号５１は堤防及び符号５２は河川をそれぞれ示している。
まず、本考案の第１の実施の形態に係る遠隔操作型水門用開閉装置を図１〜図４に基いて詳細に説明する。
本考案の第１の実施の形態に係る遠隔操作型水門用開閉装置は、図１及び図２に示すように、駆動装置２と、この駆動装置２から動力を伝達する伝達部材３と、この伝達部材３を介して動力を受ける被駆動装置５と、駆動装置２と被駆動装置５との間に配設され伝達部材３を自在に案内する案内部材４と、被駆動装置５と連結され水門５３を開閉するゲート６とから概略構成されている。
【００１９】
本考案の第１の実施の形態に係る遠隔操作型水門用開閉装置の各構成品の配置について説明する。
図１に示すように、堤防５１の上方に操作室５０が設置されており、この操作室５０内に、駆動装置２が設置されている。図１の右側には河川５２があり、河川５２には取水用、もしくは排水用の水門５３が連通しており、この水門５３を開閉するゲート６が立設している。このゲート６の上部には、ゲート６を開閉する被駆動装置５が配設されている。また、堤防５１の内部で、駆動装置２と被駆動装置３との間に複数の案内部材４が配置されており、この案内部材４により伝達部材３が自在に案内されている。また、この伝達部材３が被駆動装置５と操作室５０内の駆動装置２とを連結している。
【００２０】
本考案の第１の実施の形態に係る遠隔操作型水門用開閉装置の各構成品の形態を説明する。
駆動装置２は、図２に示すように、回転軸２０に駆動スプロケット２１が固定されており、この駆動スプロケット２１に伝達部材３が係合している。そして、回転軸２０に固定されたハンドルレバー２２を、手動で回転操作することにより駆動スプロケット２１を回転させ、駆動スプロケット２１から伝達部材３に動力を伝達している。なお、駆動スプロケット２１は、電動機により駆動することもできる。
【００２１】
伝達部材３は無端状からなり、図２に示すように、駆動装置２に設けた駆動スプロケット２１と、後述する被駆動装置５の被駆動スプロケット７のそれぞれに係合している。また、伝達部材３は、駆動装置２の駆動スプロケット２１との係合部及び被駆動装置５の被駆動スプロケット７との係合部には、係合可能なチェーンで形成されており、その他の部位は、ロープで形成されている。なお、伝達部材３は、ワイヤーでもよい。
【００２２】
被駆動装置５は、図３及び図４に示すように、伝達部材３と係合して回転する被駆動スプロケット７と、この被駆動スプロケット７と固定される回転軸８とから構成されている。
この回転軸８は、水門５３の上部に設置された２個の軸受９に回転自在に支持されると共に、水門５３の幅方向に延在しており、一端に駆動スプロケット７が固定されている。また、この回転軸８のほぼ両側に、側面視が略Ｌ字状のトルクアーム部１０が２本固定され、それぞれの下部にヒンジ部１１を介してゲート６が揺動自在に連結されている。また、軸受９の近傍には、ゲート６を上方に移動させる際に、ゲート６の下面を支持して案内する図示しないガイド部材が設けられている。
【００２３】
案内部材４は、図１及び図２に示すように、駆動装置２と被駆動装置５との間に複数任意に配設されており、伝達部材３の伝達経路を自在に形成している。また、この第１の実施の形態では、伝達部材３の中間部がロープで形成されているため、案内部材４は案内シーブで形成されている。
【００２４】
本考案の第１の実施の形態に係る遠隔操作型水門用開閉装置では、図２に示すように、駆動装置２の駆動スプロケット２１と、被駆動装置５の被駆動スプロケット７それぞれに、伝達部材３のチェーンの部位が係合して、中間部のロープの部位が複数の案内シーブ４により伝達経路を案内される状態となる。
【００２５】
次に、本考案の第１の実施の形態に係る遠隔操作型水門用開閉装置において水門の開閉動作を図３及び図４に基いて説明する。まず、水門を開ける場合（ゲートを上げる場合）について説明する。
図２に示す駆動装置２のハンドルレバー２２を回転することで駆動スプロケット２１を回転させ、伝達部材３を矢印Ｄの方向に移動させる。すると、動力は伝達部材３を介して被駆動装置５の被駆動スプロケット７に伝達され、回転軸８及びトルクアーム部１０が矢印Ｃの方向に回転して、ゲート６が、その下端部６ａが略曲線軌跡を画くように、図示しないガイド部材で支持されながら上方に移動する。ゲートが完全に開いた場合は、二点鎖線に示すようにガイド部材に支持された状態で停止する。
次に、水門を閉める場合（ゲートを下げる場合）には、駆動装置２の駆動スプロケット２１（図２参照）を逆回転させることにより、ゲート７を開く場合と逆に作用する動力を被駆動装置５に伝達させて、ゲート７を下方に移動させる。
【００２６】
本考案の第１の実施の形態に係る遠隔操作型水門用開閉装置によれば、駆動装置２の駆動スプロケット２１からの動力を、伝達部材３を経由して被駆動装置５の駆動スプロケット７に伝達して、この駆動スプロケット７が回転することにより、回転軸８及びトルクアーム部１０が回転して、ゲート６を、その下端部６ａが略曲線軌跡を画くように上下方向に移動させることができる。
【００２７】
次に、本考案の第２の実施の形態に係る遠隔操作型水門用開閉装置を図５及び図６に基いて説明する。
本考案の第２の実施の形態に係る遠隔操作型水門用開閉装置の構成品の配置については、第１の実施の形態とほぼ同等であるが、相違する点は、図５に示すように、ゲート６が開く方向で、且つゲート６の上部に案内滑車１２が配設されており、この案内滑車１２と図２に示す駆動装置２とが伝達部材３ａにより連結される状態となっている。
また、本考案の第２の実施の形態に係る遠隔操作型水門用開閉装置の構成品については、第１の実施の形態と同等であり、この実施の形態では、被駆動装置及び伝達部材の形態が第１の実施の形態と異なるため、被駆動装置及び伝達部材の形態を詳細に説明する。尚、この実施の形態の説明において、第１の実施の形態と同一構成品及び相当する構成品は、同一符号を使用して説明する。
【００２８】
被駆動装置５ａは、図５及び図６に示すように、案内滑車１２の下流側の伝達部材３ａに、一端が接続され変位するアーム部１３と、このアーム部１３の他端に固定され回転する回転軸１５とから構成されている。
アーム部１３は、その一端を案内滑車１２の下流側の伝達部材３ａに接続すると共に、他端を回転軸１５の一端に固定している。
回転軸１５は、水門５３の上部に設置された２個の軸受９に回転自在に支持されると共に、水門５３の幅方向に延在しており、その一端にアーム部１３が固定されている。また、この回転軸１５のほぼ両側に、側面視が略Ｌ字状のトルクアーム部１４が２本固定され、それぞれの下部にゲート６が固定されている。
【００２９】
また、伝達部材３ａは無端状からなり、駆動装置２の駆動スプロケット２１（図２参照）に係合されており、伝達部材３ａは、駆動装置２の駆動スプロケット２１との係合部だけ、係合可能なチェーンで形成され、その他の部位は、ロープで形成されている。なお、伝達部材３ａはワイヤーでもよい。
【００３０】
本考案の第２の実施の形態に係る遠隔操作型水門用開閉装置では、駆動装置２の駆動スプロケット２１に、伝達部材３ａのチェーンの部位が係合して、その他のロープの部位が、被駆動装置５ａの近傍に位置する案内滑車１２や複数の案内シーブ４により伝達経路を案内される状態となる。
【００３１】
次に、本考案の第２の実施の形態に係る遠隔操作型水門用開閉装置において水門の開閉動作を図５及び図６に基いて説明する。まず、水門を開ける場合（ゲートを上げる場合）について説明する。
図２に示す駆動装置２のハンドルレバー２２を回転することで駆動スプロケット２１を回転させ、伝達部材３ａを矢印Ｄの方向に移動させる。すると、動力は伝達部材３ａを介して被駆動装置５ａのアーム部１３に伝達され、アーム部１３の一端は矢印の方向Ｂに所定距離変位し、回転軸１５及びトルクアーム部１４が、矢印Ｃの方向に回転して、ゲート６はトルクアーム部１４に固定された状態で、その下端部６ａが略曲線軌跡を画くように、上方に移動する。ゲート６が完全に開いた場合は、二点鎖線で示すように、トルクアーム部１４に支持された状態で停止する。
水門を閉める場合（ゲートを下げる場合）には、第１の実施の形態と同様に駆動装置２の駆動スプロケット２１を逆回転させることにより、ゲート６を開く場合と逆に作用する動力を被駆動装置５ａに伝達させて、ゲート６を下方に移動させる。
【００３２】
ここで、ゲートを閉める場合に、ゲート６が自重で下方に移動して水門を閉めることが可能であれば、駆動装置２の駆動スプロケット２１を駆動させる必要はない。この場合には、伝達部材３ａを無端状に形成せず、端部を有する伝達部材をチェーンまたはロープで形成して、一端を駆動装置２に接続すると共に、他端をアーム部１３の一端に接続することが可能となり、案内滑車１２も不用となる。
【００３３】
本考案の第２の実施の形態に係る遠隔操作型水門用開閉装置によれば、駆動装置２の駆動スプロケット２１からの動力を、伝達部材３ａを経由して被駆動装置５ａのサイドアーム部１３に伝達して、このサイドアーム部１３が変位することにより、回転軸１５及びトルクアーム部１４が回転して、ゲート６を、その下端部６ａが略曲線軌跡を画くように上下方向に移動させることができる。
【００３４】
次に、本考案の第３の実施の形態に係る遠隔操作型水門用開閉装置を図７に基いて説明する。また、この実施の形態に係る遠隔操作型水門用開閉装置の構成品及び構成品の配置については、第１の実施の形態と同等であり、この実施の形態では、被駆動装置の形態が第１の実施の形態と異なるため、被駆動装置の形態を詳細に説明する。尚、この実施の形態の説明において、第１の実施の形態と同一構成品及び相当する構成品は、同一符号を使用して説明する。
被駆動装置５ｂは、伝達部材３と係合して回転する被駆動スプロケット１８と、この被駆動スプロケット１８と連設するピニオン部１７と、このピニオン部１７と係合するラック部を設けたシャフト１６とから構成されている。
そして、被駆動スプロケット１８に連設したピニオン部１７に、ラック部が係合するようにシャフト１６が連結されており、このシャフト１６の下端にゲート６が連結されている。
【００３５】
次に、本考案の第３の実施の形態に係る遠隔操作型水門用開閉装置において水門の開閉動作を図７に基いて説明する。まず、水門を開ける場合（ゲートを上げる場合）について説明する。
図７に示すように、駆動装置２のハンドルレバー２２を回転することで駆動スプロケット２１を回転させ、伝達部材３を矢印Ｄの方向に移動させる。すると、動力は伝達部材３を介して被駆動装置５ｂの被駆動スプロケット１８に伝達され、被駆動スプロケット１８及びピニオン部１７が回転することにより、シャフト１６と共にゲート６が、上方に移動する。
次に、水門を閉める場合（ゲートを下げる場合）には、駆動装置２の駆動スプロケット２１を逆回転させて、ゲート６を開く場合と逆に作用する動力を被駆動装置５ｂに伝達させて、ゲート６を下方に移動させる。
【００３６】
本考案の第３の実施の形態に係る遠隔操作型水門用開閉装置によれば、駆動装置２の駆動スプロケット２１からの動力を、伝達部材３を経由して被駆動装置５ｂの被駆動スプロケット１８に伝達して、この被駆動スプロケット１８に連設したピニオン部１７が回転することにより、このピニオン部１７にラック部が係合したシャフト１６、及びゲート６が、略直線状に上下方向に移動できる。
【００３７】
次に、本考案の第４の実施の形態に係る遠隔操作型水門用開閉装置を図１及び図８に基いて説明する。この実施の形態では、被駆動装置を用いず、駆動装置から伝達される動力を伝達部材を介して直接ゲートに伝達させる形態である。尚、この実施の形態の説明において第１〜第３の実施の形態と同一構成品及び相当する構成品は、同一符号を使用しその説明を適宜省略する。
本考案の第４の実施の形態に係る遠隔操作型水門用開閉装置は、図１及び図８に示すように、水門から離れた場所に配設された駆動装置２と、この駆動装置２から動力を伝達する伝達部材３ｂと、伝達部材３ｂを自在に案内する案内部材４と、伝達部材３ｂと接続して水門を開閉するゲート６とから構成されている。
ここで、本考案の第４の実施の形態に係る遠隔操作型水門用開閉装置の各構成品の配置は第１〜第３の実施の形態と同様であるため、ここでの説明を省略する。
【００３８】
伝達部材３ｂは、チェーン、ロープまたはワイヤーからなり、駆動装置２の駆動スプロケット２１（図２参照）に係合すると共に、その両端を案内部材４、１９を介して、ゲート６に接続している。この接続は、図８に示すように、伝達部材３ｂの一端３０を、案内部材４を介してゲート６上部に連設したアーム部２３の上部に接続すると共に、他端３１を案内部材４及びアーム部２３の近傍に位置する案内部材１９を経由して、ゲート６上部に連設するアーム部２３の上部に接続している。
【００３９】
次に、本考案の第４の実施の形態に係る遠隔操作型水門用開閉装置において水門の開閉動作（ゲートの上下移動）を説明すると、図２に示す駆動装置２のハンドルレバー２２を回転することで駆動スプロケット２１を回転させ、動力が駆動スプロケット２１から案内部材４を介して伝達部材３ｂの一端３０に伝達され、ゲート６が、略直線状に上下方向に移動する。
【００４０】
本考案の第４の実施の形態に係る遠隔操作型水門用開閉装置によれば、駆動装置２の駆動スプロケット２１からの動力を、伝達部材３ｂを経由して直接ゲート６に伝達して、ゲート６を、略直線状に上下方向に移動することができる。
【図面の簡単な説明】
【００４１】
【図１】図１は、本考案の実施の形態に係る遠隔操作型水門用開閉装置の配置を示す図である。
【図２】図２は、本考案の第１の実施の形態に係る遠隔操作型水門用開閉装置の駆動装置から被駆動装置に動力を伝達する状態を示す図である。
【図３】図３は、本考案の第１の実施の形態に係る遠隔操作型水門用開閉装置の構成品であるゲートが上下に移動する状態を示す図である。
【図４】図４は、図３のＡ方向から見た図である。
【図５】図５は、本考案の第２の実施の形態に係る遠隔操作型水門用開閉装置の構成品であるゲートが上下に移動する状態を示す図である。
【図６】図６は、図５のＡ方向から見た図である。
【図７】図７は、本考案の第３の実施の形態に係る遠隔操作型水門用開閉装置を示す図である。
【図８】図８は、本考案の第４の実施の形態に係る遠隔操作型水門用開閉装置の構成部品であるゲートが上下に移動する状態を示す図である。
【符号の説明】
【００４２】
２                  駆動装置
３、３ａ、３ｂ      伝達部材
４、１９            案内部材
５、５ａ、５ｂ      被駆動装置
６                  ゲート
６ａ                下端部
７、１８            被駆動スプロケット
８、１５            回転軸
１０、１４          トルクアーム部
１３、１８、２３    アーム部
１７                ピニオン部
５３                水門
【図１】
0003101575.tif 000003
【図２】
0003101575.tif 000004
【図３】
0003101575.tif 000005
【図４】
0003101575.tif 000006
【図５】
0003101575.tif 000007
【図６】
0003101575.tif 000008
【図７】
0003101575.tif 000009
【図８】
0003101575.tif 000010